(57)【要約】【課題】手足を洗ったり、水を飲んだりしたときに子供が楽しく、面白いと感じる動作玩具を提供する。【解決手段】水流を利用して動作させる、以下の要件を備えたことを特徴とする。（イ）玩具本体２には導水口３と排水口４とを有するともに、導水口３と排水口４との間には水車部材５が設けられていること（ロ）玩具本体２の外部には、水車部材５により作動される動作部材６が設けられていること（ハ）上記導水口３は給水手段７へ着脱自在に構成されていること【選択図】　　　　図２
0003098447.tif 000002
【実用新案登録請求の範囲】
【請求項１】
水流を利用して動作させる、以下の要件を備えたことを特徴とする水流を利用した動作玩具。
（イ）玩具本体には導水口と排水口とを有するとともに、導水口と排水口との間には水車部材が設けられていること
（ロ）玩具本体の外部には、水車部材により作動される動作部材が設けられていること
（ハ）上記導水口は給水手段へ着脱自在に構成されていること
【請求項２】
以下の要件を備えたことを特徴とする、請求項１記載の動作玩具。
（イ）前記水車部材の回転軸の下流側には、傾斜端面を有する回転部材が固定されていること
（ロ）前記動作部材には玩具本体の壁を貫通する回転軸が設けられ、回転軸の先端には上記回転部材の傾斜端面へ常時接触するように受動体が設けられていること。
【考案の詳細な説明】
【０００１】
【考案の属する技術分野】
本考案は水流を利用して動作させる動作玩具に関する。
【０００２】
【従来の技術と問題点】
一般に、水道の蛇口に取付けられるものとして、浄水器や濾過器が市販されているが、浄水機能や濾過機能だけが重視され、特に使って楽しいとか面白いとかの面に目を向けたものは市場には全くなかった。
【０００３】
【考案が解決しようとする課題】
本考案は、上記事情に鑑みて成立したもので、特に手足を洗ったり、水を飲んだりしたときに子供が楽しく、面白いと感じる動作玩具を提供することをその課題とする。
【０００４】
【課題を解決するための手段】
前記課題を解決するため、本考案に係る動作玩具は、水流を利用して動作させる、以下の要件を備えたことを特徴とする。
（イ）玩具本体には導水口と排水口とを有するともに、導水口と排水口との間には水車部材が設けられていること
（ロ）玩具本体の外部には、水車部材により作動される動作部材が設けられていること
（ハ）上記導水口は給水手段へ着脱自在に構成されていること
【０００５】
なお、上記動作玩具は、更に以下の要件を備えるように構成してもよい。
（イ）前記水車部材の回転軸の下流側には、傾斜端面を有する回転部材が固定されていること
（ロ）前記動作部材には玩具本体の壁を貫通する回転軸が設けられ、回転軸の先端には上記回転部材の傾斜端面へ常時接触するように受動体が設けられていること。
【０００６】
【考案の実施の形態】
図１〜図４において符号１は、水流を利用した動作玩具の一例を示す。この動作玩具１は、玩具本体２に導水口３と排水口４とを有して、上記導水口３と排水口４との間には水車部材５が設けられ、玩具本体２の外部には水車部材５で作動される動作部材６が設けられていて、上記導水口２は給水手段７へ着脱自在となるように構成されている。
【０００７】
玩具本体２は、図２、図３に示す通り円形の周壁２ａと、平らな上板２ｂと下板２ｃとで形成されて、上板２ｂの中央部には導水口３を設け、下板２ｃには導水口３に対応させて排水口４を設ける。そして、周壁２ａは図４に示す通り、下端に近い部分で上部２ａ１と下部２ａ１とに分割し、印籠嵌め８とネジ９による締め付けとで上部２ａ１と下部２ａ２とを分離可能に接合する。
【０００８】
導水口３は、図２に示す通り水車部材５の羽根１０へ向かって水を流下させるように位置設定されて、給水手段７へ着脱するための挿入筒部１１を有する。この挿入筒部１１は、周壁に給水手段７へ係止するためのＬ形係止溝１２を１組対応的に設けるものであって、Ｌ形係止溝１２は、上方へ開口する縦部１２ａと、先方ほど下がるように傾斜させた横部１２ｂとを有して、このＬ形係止溝１２を給水手段７側に設けた止ピン１３へ係合させると、玩具本体２が給水手段７へ離脱しないように止め付けられる。
【０００９】
排水口４は、導水口３よりも流下する水がなるべくそのまま下方へ抜け落ち、玩具本体２内へ溜らないように導水口３よりも開口を大きくしてある。
【００１０】
水車部材５は、軸方向の水流によって回転する軸流形を用いる。このため水車部材５の軸１４は、図２に示す通り玩具本体２の中心より少し偏倚した位置で上板２ｂと下板２ｃに設けた軸受１５及び１６に支持させる。そして、羽根１０は図４に示す通りボス１７の周囲へ等間隔で数枚が取付けられ、各羽根１０は水流で回転が起るように捩れ角を与えられている。
【００１１】
上記水車部材５の軸１４は、水流に対して下流側に回転部材１８を固定されている。この回転部材１８は、上側に高低差を１組、若しくは複数組有する傾斜端面１８ａを形成されていて、この傾斜端面１８ａの高低差により接触する部材に昇降運動を与える。
【００１２】
動作部材６は、玩具本体２の外部で作動させるよう回転軸１９で玩具本体２へ取付けられる。この動作部材６は面白い動きが得られるように例えば歯ブラシを模した形状に形成する。そして、回転軸１９を玩具本体２の分割部に２分割構造（図３参照）で設けた軸受２０に支持させて玩具本体２内へ挿入し、回転部材１８に対応する後部に傾斜端面１８ａへ先端を接するように受動体２１を設けてある。
【００１３】
給水手段７は、通常の水道や貯水タンク等に設けた蛇口や、蛇口に取付けた浄水器、濾過器などの出水口、ペットボトル等の水容器の口部等であって、定量の水を所要時間継続して流下させることができるものであれば総て利用できる。
【００１４】
上記の通り構成される導水玩具１は、玩具本体２を図１に示す通り給水手段７へ取付けて水を流す。すると、導入口３から水車部材５の羽根１１に向って水が流下し、羽根１０へ動圧を加えるため、水車部材５は回転して軸１４に取付けた回転部材１８を回転させる。回転部材１９が回転するとその傾斜端面１８へ先端を接触する受動体２１は、傾斜の高い部分では上げられ、低い部分では下げられる動作を行うため、回転軸２０に取付た動作部材６は、図１において実線で示す位置と鎖線で示す位置との間を昇降する運動を繰り返して、歯ブラシで歯を磨く動作を面白く表現する。
【００１５】
図５〜図７において、符号１は動作玩具の他の例を示す。この動作玩具１は、例えば、左右の手を模した動作部材６の１と動作部材６の２を一対設けられていて、両動作部材６の１と６の２が、水車部材５の回転により相関的に作動される構成としてある。従って、水車部材５により回転される回転部材１８の傾斜端面１８ａの一方、図８において左側には動作部材６の１の回転軸１９の１に設けた受動体２１の１が接触し、他方、右側には他方の動作部材６の２の回転軸１９の２に設けた受動体２１の２が接触するように構成してある。
【００１６】
上記の通り構成される動作玩具１は、玩具本体２を図５に示す通り給水手段７へ取付けて水を流す。すると、導入口３から水車部材５の羽根１０に向って水が流下し、羽根１０に動圧を加えるため、水車部材５が回転して軸１４に取付けた回転部材１８を回転させる。この回転部材１９に設けた傾斜端面１８ａの左側には回転軸１９の１に設けた受動体２１の１が接触し、右側には回転軸１９の２に設けた受動体２１の２が接触しているため、受動体２１の１が傾斜端面１８ａの高い部分へ接触するときは、受動体２１の２が傾斜端面１８ａの低い部分へ接触し、反対に受動片２１の１が傾斜端面１８ａの低い部分へ接触するときは、受動体２１の２が傾斜端面１８ａの高い部分へ接触する動作を繰り返すため、動作部材６の１と動作部材６の２とは、実線で示す位置と鎖線で示す位置との間を昇降する動作を相反的に継続して行い、両手を摺り合わせて手洗いをする動作を面白く表現する。
【００１７】
【考案の効果】
請求項１の効果　玩具本体を給水手段に取付けて、水を流すと水車部材が水流により回転して動作部材を動かし、動作部材によって例えば、歯磨き、手足洗い等の仕草を面白く表現するので、これに興味をそそられて子供が歯磨きや手足洗い等を楽しく行える。
【００１８】
請求項２の効果　水流で水車部材を回転させると、回転部材が回転してその傾斜端面で動作部材の回転軸を揺動させるため、動作部材は定められた動作を規則的に繰り返して、この動作で子供達を十分に楽しませる。
【図面の簡単な説明】
【図１】水流を利用した動作玩具の一例の使用状態を示す正面図。
【図２】玩具本体の下部を外した見上げ図
【図３】同上の斜視図
【図４】玩具本体の一部を破断して内部を示す正面図
【図５】水流を利用した動作玩具の他の例の使用状態を示す正面図
【図６】玩具本体の下部を外した見上げ図
【図７】同上の斜視図
【図８】玩具本体の一部を破断して内部を示す正面図
【符号の説明】
１　動作玩具
２　玩具本体
３　導水口
４　排水口
５　水車部材
６　動作部材
【図１】
0003098447.tif 000003
【図２】
0003098447.tif 000004
【図３】
0003098447.tif 000005
【図４】
0003098447.tif 000006
【図５】
0003098447.tif 000007
【図６】
0003098447.tif 000008
【図７】
0003098447.tif 000009
【図８】
0003098447.tif 000010